(57)【特許請求の範囲】
【請求項１】
吊りボルトに設置される固定具であって、
前記吊りボルトと螺合する所定長さの長ナットを縦に中央で分割して作製される第１の分割長ナット及び第２の分割長ナットと、
前記第１の分割長ナットのネジ部とは逆の面に溶接、ロー付け、または接着によって固定されるＵボルトと、
を有することを特徴とする吊りボルト用固定具。
【請求項２】
前記第２の分割長ナットのネジ部とは逆の面に固定され、前記Ｕボルトが挿入される２個の穴を有する当て板を有することを特徴とする請求項１記載の吊りボルト用固定具。
【請求項３】
前記第２の分割長ナットと前記当て板との固定が、溶接、ロー付け、または接着によってなされることを特徴とする請求項２に記載の吊りボルト用固定具。
【発明の詳細な説明】
【技術分野】
【０００１】
本発明は、屋根裏に新規配管を設置するための吊りボルト用固定具に関する。
【背景技術】
【０００２】
屋根裏に設置される空調ダクト、空調機等は上部コンクリート床に固定する必要があるが、その際吊りボルトがしばしば使用される。図４は、新規配管３０及び空調機６０の設置状態を示した図である。空調機６０は、アンカーボルトに挿入し固定された吊りボルト５０を取付座６０ａに挿入し、ナットＮによって固定される。天井板６５には空調機６０の吹出し穴が開けられている。
【０００３】
このように屋根裏に空調機６０が吊りボルト５０に設置されている状態で、新たに新規配管３０を設置する場合には図４に示したように、新たに吊りボルト５０を設置して吊り配管金具４０を使って新規配管３０を設置するのが通常である。この場合の設置手順は、吊り配管金具４０の固定金具４０ａをナットＮを使って吊りボルト５０に固定し、次に新規配管３０が挿入された吊りバンド４０ｂをボルトＢとナットＮを使って固定金具４０ａに固定する。
【０００４】
なお、例えば特許文献１には、線材や管材を吊りボルトに迅速、確実かつ容易に傷つけずに固定できる吊りボルト用固定具に関する技術が開示されている。
【先行技術文献】
【特許文献】
【０００５】
【特許文献１】特開平１０−３２７５１号公報
【発明の概要】
【発明が解決しようとする課題】
【０００６】
しかし、上記したような新規配管３０の固定方法では、新たにアンカーボルトを天井コンクリート７０に挿入した後吊りボルト５０を設置しなければならず、コストと時間がかかるという課題があった。
【０００７】
本発明は、以上の課題に着目して成されたもので、新たに天井コンクリートに吊りボルトを設置することなく新規配管を設置することができる吊りボルト用固定具を提供することを目的とする。
【課題を解決するための手段】
【０００８】
本発明は上記課題を解決するため、以下の構成を備えるものである。
【０００９】
（１）吊りボルトに設置される固定具であって、
前記吊りボルトと螺合する所定長さの長ナットを縦に中央で分割して作製される第１の分割長ナット及び第２の分割長ナットと、
前記第１の分割長ナットのネジ部とは逆の面に溶接、ロー付け、または接着によって固定されるＵボルトと、
を有することを特徴とする吊りボルト用固定具。
（２）前記第２の分割長ナットのネジ部とは逆の面に固定され、前記Ｕボルトが挿入される２個の穴を有する当て板を有することを特徴とする前記（１）記載の吊りボルト用固定具。
（３）前記第２の分割長ナットと前記当て板との固定が、溶接、ロー付け、または接着によってなされることを特徴とする前記（２）に記載の吊りボルト用固定具。
【発明の効果】
【００１３】
本発明によれば、新たに天井コンクリートに吊りボルトを設置することなく新規配管を設置することができる吊りボルト用固定具を提供することができる。
【図面の簡単な説明】
【００１４】
【図１】実施例の吊りボルト用固定具の構成を示す図
【図２】実施例の吊りボルト用固定具の使用状態を示す第１の図
【図３】実施例の吊りボルト用固定具の使用状態を示す第２の図
【図４】従来の屋根裏における新規配管の設置状態を示す図
【発明を実施するための形態】
【００１５】
以下、本発明を実施するための形態を、実施例により詳しく説明する。
【実施例】
【００１６】
図１は、本発明の吊りボルト用固定具１０の構成を示す図である。吊りボルト用固定具１０は、部品Ａ  １０ａと部品Ｂ  １０ｂによって構成される。部品Ａ  １０ａは、分割長ナット５ａとＵボルト６によって作成され、図１（ｂ）に示したように分割長ナット５ａとＵボルト６の接触部が溶接部８によって固定されている。また、部品Ｂ  １０ｂは、分割長ナット５ｂと当て板７によって作成され、図１（ｃ）に示したように分割長ナット５ｂと当て板７の接触部が溶接部９によって固定されている。当て板７の２個の穴には、部品Ａ  １０ａのＵボルト６のネジ棒が挿入される。なお、部品Ｂ  １０ｂは分割長ナット５ｂのみで構成し、当て板７を省略してもよい。部品Ａ  １０ａの分割長ナット５ａと部品Ｂ  １０ｂの分割長ナット５ｂは、１個の長ナットを中央で２分割して作成される。上記した吊りボルト用固定具１０では、部品の連結に溶接を用いたが、他の例えばロー付け、接着等によって連結してもよい。
【００１７】
図２に、本実施例の吊りボルト用固定具１０の使用状態を示す。既に２本の吊りボルト５０が設置されているものとする。まず、２本の吊りボルト５０を挟んで吊りボルト用固定具１０の部品Ａ  １０ａと部品Ｂ  １０ｂを抱き合わせる。部品Ａ  １０ａの分割長ナット５ａと部品Ｂ  １０ｂの分割長ナット５ｂは吊りボルト５０とネジ部ではまり合うためずれることはない。この場合、部品Ａ  １０ａのＵボルト６のネジ部を部品Ｂ  １０ｂの当て板７の２つの穴に挿入する。次に、小判形状の穴２０ａが複数形成されたアングル材２０を２個の部品Ｂ  １０ｂのＵボルト６に挿入する。更に、部品Ｂ  １０ｂの当て板７と同様の当て板７をＵボルト６のネジ部に挿入し、ナットＮで締め付ける。このように２個の吊りボルト用固定具１０を使えば、アングル材２０を２本の吊りボルト５０の間に簡単に設置することができる。
【００１８】
次に、上記した方法によって設置されたアングル材２０を使って新規配管３０を設置する方法を図３を参照しつつ説明する。図３の吊りボルト５０は、空調機６０を設置するための天井コンクリート７０に他端が固定された吊りボルトである。なお、図示しなかったが、天井コンクリート７０にはアンカーボルトが打ち込まれているものとする。
【００１９】
図中のアングル材２０は、既に述べたように吊りボルト用固定具１０によって２本の吊りボルト５０の間に設置されている。そして、このアングル材２０に吊り配管金具４０の固定金具４０ａをボルトＢとナットＮを使って固定する。次に、新規配管３０を挿入した吊りバンド４０ｂを固定金具４０ａにボルトＢとナットＮを使って連結する。
【００２０】
通常、空調機６０は４本の吊りボルト５０によって屋根裏に設置されるため、この既に設置された吊りボルト５０を使って２本のアングル材２０を設置することができ、新規配管３０を２箇所で固定することができる。
【００２１】
本実施例の吊りボルト用固定具によれば、新たに天井コンクリートに吊りボルトを設置することなく、安価にかつ短時間に新規配管を設置することができる。
【符号の説明】
【００２２】
５ａ    分割長ナット
５ｂ    分割長ナット
６      Ｕボルト
７      当て板
８，９  溶接部
１０    吊りボルト用固定具
１０ａ  部品Ａ
１０ｂ  部品Ｂ
２０    アングル材
２０ａ  取付穴
３０    新規配管
４０    吊り配管金具
４０ａ  固定金具
４０ｂ  吊りバンド
５０    吊りボルト
６０    空調機
６０ａ  取付座
６５    天井板
７０    天井コンクリート
Ｂ      ボルト
Ｎ      ナット
【要約】
【課題】新たに天井コンクリートに吊りボルトを設置することなく新規配管を設置することができる吊りボルト用固定具を提供することを目的とする。
【解決手段】吊りボルトに設置される固定具であって、吊りボルト５０と螺合する所定長さの長ナットを縦に中央で分割して作製される第１の分割長ナット５ａと第２の分割長ナット５ｂと、第１の分割長ナット５ａのネジ部とは逆の面に固定されるＵボルト６と、第２の分割長ナット５ｂのネジ部とは逆の面に固定され、Ｕボルト６が挿入される２個の穴を有する当て板７と、を有することを特徴とする吊りボルト用固定具。
【選択図】図１【図１】
0005729849.tif 000002
【図２】
0005729849.tif 000003
【図３】
0005729849.tif 000004
【図４】
0005729849.tif 000005